(57)【要約】【課題】電池パックの回路構成を容易なものとし、且つ小型化された安価な電池パックを提供する。【解決手段】電池パック３の端子Ｔ１は、充電回路１１の出力側と接続され、その端子Ｔ２は、ＡＣアダプタ１および充電回路１１の接続点と接続され、その端子Ｔ３は、確認・温度検出回路１４と接続される。端子Ｔ１は、二次電池１６の正極端子と接続され、端子Ｔ２は、二次電池１６の負極端子と接続される。ＩＤ回路１７は、端子Ｔ２およびＴ３との間に設けられる。温度センサ１８は、端子Ｔ３と接続される。確認・温度検出回路１４は、充電回路１１の出力側と、ＡＣアダプタ１および充電回路１１の接続点との間に設けられる。充電回路１１の出力側と、ＡＣアダプタ１および充電回路１１の接続点との間に、スイッチ回路１２およびセット負荷１３が直列に設けられる。【選択図】    図１
2004349104.tif 000002
【特許請求の範囲】
【請求項１】
二次電池を用いた電池パックにおいて、
電圧または電流を変調してＩＤ信号を生成するＩＤ信号生成手段と、
温度を検出し、上記検出された温度に応じたセンサ信号を出力する温度センサと、
二次電池を充電または放電する第１および第２の端子と、
上記生成されたＩＤ信号および上記出力されたセンサ信号が通過する第３の端子とを有し、
上記第１、第２、および第３の端子を介して電子機器と接続するようになし、、  上記第３の端子を通過したＩＤ信号から上記電子機器に用いられる正規のものであるか否かを判断し、
上記第３の端子を通過したセンサ信号から温度を検出することを可能とした
ことを特徴とする電池パック。
【請求項２】
上記第３の端子を通過したＩＤ信号から上記電子機器に用いられる正規のものではないと判断されると、上記電子機器に設けられている充電手段の動作の停止し、および上記電子機器の負荷を保護するためのスイッチ手段をオフとするようにしたことを特徴とする請求項１に記載の電池パック。
【請求項３】
二次電池を用いた電池パックにおいて、
ＩＤ信号を受信するＩＤ信号受信手段と、
温度を検出し、上記検出された温度に応じたセンサ信号を出力する温度センサと、
二次電池を充電または放電する第１および第２の端子と、
上記受信するＩＤ信号および上記出力されたセンサ信号が通過する第３の端子とを有し、
上記第１、第２、および第３の端子を介して電子機器と接続するようになし、上記第３の端子を通過したＩＤ信号から正規に用いられる上記電子機器であるか否かを判断し、
上記電子機器では、上記第３の端子を通過したセンサ信号から温度を検出することを可能とした
ことを特徴とする電池パック。
【請求項４】
上記第３の端子を通過したＩＤ信号から上記電子機器は正規に用いられるものではないと判断されると、上記二次電池を保護するためのスイッチ手段をオフとするようにしたことを特徴とする請求項３に記載の電池パック。
【請求項５】
二次電池を用いた電池パックにおいて、
電圧または電流を変調してＩＤ信号を生成するＩＤ信号生成手段と、
温度を検出し、上記検出された温度に応じたセンサ信号を出力する温度センサと、
二次電池を充電または放電する第１および第２の端子と、
少なくとも上記生成されたＩＤ信号および上記出力されたセンサ信号の何れか一方が通過する第３の端子とを有し、
上記第１、第２、および第３の端子を介して接続される電子機器から第１の電圧が上記第３の端子を介して供給されると、上記生成されたＩＤ信号を上記第３の端子を介して上記電子機器へ送信し、
上記第１の電圧より低い第２の電圧が上記第３の端子を介して供給されると、上記出力されたセンサ信号を上記第３の端子を介して上記電子機器へ送信する
ようにしたことを特徴とする電池パック。
【請求項６】
さらに、上記電子機器から送信されるＩＤ信号を受信するＩＤ受信手段を有し、
上記受信したＩＤ信号から上記電子機器が正規に用いられるものではないと判断されると、上記二次電池を保護するためのスイッチ手段をオフとするようにしたことを特徴とする請求項５に記載の電池パック。
【請求項７】
上記電子機器では、
上記第３の端子を通過したＩＤ信号から上記電子機器に用いられる正規のものであるか否かを判断し、
上記第３の端子を通過したセンサ信号から温度を検出する
ようにしたことを特徴とする請求項５に記載の電池パック。
【請求項８】
上記第３の端子を通過したＩＤ信号から上記電子機器に用いられる正規のものではないと判断されると、上記電子機器に設けられている充電手段の動作の停止し、および上記電子機器の負荷を保護するためのスイッチ手段をオフとするようにしたことを特徴とする請求項７に記載の電池パック。
【請求項９】
二次電池を用いた電池パックにおいて、
ＩＤ信号を受信するＩＤ信号受信手段と、
温度を検出し、上記検出された温度に応じたセンサ信号を出力する温度センサと、
二次電池を充電または放電する第１および第２の端子と、
少なくとも上記受信するＩＤ信号および上記出力されたセンサ信号の何れか一方が通過する第３の端子とを有し、
上記第１、第２、および第３の端子を介して接続される電子機器から第１の電圧が上記第３の端子を介して供給されると、上記ＩＤ信号を上記第３の端子を介して受信し、
上記第１の電圧より低い第２の電圧が上記第３の端子を介して供給されると、上記出力されたセンサ信号を上記第３の端子を介して上記電子機器へ送信する
ようにしたことを特徴とする電池パック。
【請求項１０】
さらに、上記電子機器へ送信するＩＤ信号を生成するＩＤ信号生成手段を有し、
上記送信したＩＤ信号から上記電子機器に用いられる正規のものではないと判断されると、上記電子機器に設けられている充電手段の動作の停止し、および上記電子機器の負荷を保護するためのスイッチ手段をオフとするようにしたことを特徴とする請求項９に記載の電池パック。
【請求項１１】
上記受信したＩＤ信号から正規に用いられる上記電子機器であるか否かを判断し、
上記電子機器では、上記送信されたセンサ信号から温度を検出するようにしたことを特徴とする請求項９に記載の電池パック。
【請求項１２】
上記第３の端子を通過したＩＤ信号から上記電子機器は正規に用いられるものではないと判断されると、上記二次電池を保護するためのスイッチ手段をオフとするようにしたことを特徴とする請求項１１に記載の電池パック。
【請求項１３】
二次電池を用いた電池パックの保護方法において、
電圧または電流を変調してＩＤ信号を生成し、
温度センサで温度を検出し、上記検出された温度に応じたセンサ信号を出力し、
第１および第２の端子で二次電池を充電または放電し、
上記生成されたＩＤ信号および上記出力されたセンサ信号が第３の端子を通過し、
上記第１、第２、および第３の端子を介して電子機器と接続するようになし、、  上記第３の端子を通過したＩＤ信号から上記電子機器に用いられる正規のものであるか否かを判断し、
上記第３の端子を通過したセンサ信号から温度を検出することを可能とした
ことを特徴とする電池パックの保護方法。
【請求項１４】
上記第３の端子を通過したＩＤ信号から上記電子機器に用いられる正規のものではないと判断されると、上記電子機器に設けられている充電手段の動作の停止し、および上記電子機器の負荷を保護するためのスイッチ手段をオフとするようにしたことを特徴とする請求項１３に記載の電池パックの保護方法。
【請求項１５】
二次電池を用いた電池パックの保護方法において、
ＩＤ信号を受信し、
温度センサで温度を検出し、上記検出された温度に応じたセンサ信号を出力し、
第１および第２の端子で二次電池を充電または放電し、
上記受信するＩＤ信号および上記出力されたセンサ信号が第３の端子を通過し、
上記第１、第２、および第３の端子を介して電子機器と接続するようになし、上記第３の端子を通過したＩＤ信号から正規に用いられる上記電子機器であるか否かを判断し、
上記電子機器では、上記第３の端子を通過したセンサ信号から温度を検出することを可能とした
ことを特徴とする電池パックの保護方法。
【請求項１６】
上記第３の端子を通過したＩＤ信号から上記電子機器は正規に用いられるものではないと判断されると、上記二次電池を保護するためのスイッチ手段をオフとするようにしたことを特徴とする請求項１５に記載の電池パックの保護方法。
【請求項１７】
二次電池を用いた電池パックの保護方法において、
電圧または電流を変調してＩＤ信号を生成し、
温度センサで温度を検出し、上記検出された温度に応じたセンサ信号を出力し、
第１および第２の端子で二次電池を充電または放電し、
少なくとも上記生成されたＩＤ信号および上記出力されたセンサ信号の何れか一方が第３の端子を通過し、
上記第１、第２、および第３の端子を介して接続される電子機器から第１の電圧が上記第３の端子を介して供給されると、上記生成されたＩＤ信号を上記第３の端子を介して上記電子機器へ送信し、
上記第１の電圧より低い第２の電圧が上記第３の端子を介して供給されると、上記出力されたセンサ信号を上記第３の端子を介して上記電子機器へ送信する
ようにしたことを特徴とする電池パックの保護方法。
【請求項１８】
さらに、上記電子機器から送信されるＩＤ信号を受信し、上記受信したＩＤ信号から上記電子機器が正規に用いられるものではないと判断されると、上記二次電池を保護するためのスイッチ手段をオフとするようにしたことを特徴とする請求項１７に記載の電池パックの保護方法。
【請求項１９】
上記電子機器では、
上記第３の端子を通過したＩＤ信号から上記電子機器に用いられる正規のものであるか否かを判断し、
上記第３の端子を通過したセンサ信号から温度を検出する
ようにしたことを特徴とする請求項１７に記載の電池パックの保護方法。
【請求項２０】
上記第３の端子を通過したＩＤ信号から上記電子機器に用いられる正規のものではないと判断されると、上記電子機器に設けられている充電手段の動作の停止し、および上記電子機器の負荷を保護するためのスイッチ手段をオフとするようにしたことを特徴とする請求項１９に記載の電池パックの保護方法。
【請求項２１】
二次電池を用いた電池パックの保護方法において、
ＩＤ信号を受信し、
温度センサで温度を検出し、上記検出された温度に応じたセンサ信号を出力し、
第１および第２の端子で二次電池を充電または放電し、
少なくとも上記受信するＩＤ信号および上記出力されたセンサ信号の何れか一方が第３の端子を通過し、
上記第１、第２、および第３の端子を介して接続される電子機器から第１の電圧が上記第３の端子を介して供給されると、上記ＩＤ信号を上記第３の端子を介して受信し、
上記第１の電圧より低い第２の電圧が上記第３の端子を介して供給されると、上記出力されたセンサ信号を上記第３の端子を介して上記電子機器へ送信する
ようにしたことを特徴とする電池パックの保護方法。
【請求項２２】
さらに、上記電子機器へ送信するＩＤ信号を生成し、
上記送信したＩＤ信号から上記電子機器に用いられる正規のものではないと判断されると、上記電子機器に設けられている充電手段の動作の停止し、および上記電子機器の負荷を保護するためのスイッチ手段をオフとするようにしたことを特徴とする請求項２１に記載の電池パックの保護方法。
【請求項２３】
上記受信したＩＤ信号から正規に用いられる上記電子機器であるか否かを判断し、
上記電子機器では、上記送信されたセンサ信号から温度を検出するようにしたことを特徴とする請求項２１に記載の電池パックの保護方法。
【請求項２４】
上記第３の端子を通過したＩＤ信号から上記電子機器は正規に用いられるものではないと判断されると、上記二次電池を保護するためのスイッチ手段をオフとするようにしたことを特徴とする請求項２３に記載の電池パックの保護方法。
【発明の詳細な説明】
【０００１】
【発明の属する技術分野】
この発明は、セキュリティを備えた電池パックおよび電池パックの保護方法に関する。
【０００２】
【従来の技術】
従来、携帯型電話機、携帯型ＰＣ（Ｐｅｒｓｏｎａｌ  Ｃｏｍｐｕｔｅｒ）、ＶＴＲ（Ｖｉｄｅｏ  Ｔａｐｅ  Ｒｅｃｏｒｄｅｒ）一体型デジタルカメラなど（以下、これらを総じて「電子機器」と称する）には、充電可能な電池パックが用いられている。この電池パックは、二次電池および保護回路から構成され、電子機器に内蔵された状態または取り外し可能な状態で用いられる。
【０００３】
電池パックに用いられる二次電池は、リチウム・イオン二次電池やポリマー・リチウム二次電池といった非水系二次電池が用いられている。この非水系二次電池は、まず定電流で充電された後、定電圧且つ微少電流で充電する。充電時に、二次電池の充電特性と異なる電圧および電流を供給すると、二次電池が加熱し、発熱することがある。そのため、電池パックには、保護回路が設けられている。
【０００４】
この保護回路は、電子機器に用いられる正規の電池パックであるか否か、充電器と接続される正規の電池パックであるか否かを判断したり、電池パックおよび／または二次電池などの温度を検出したりして、二次電池を保護するものである。
【０００５】
例えば、電子機器または充電器と電池パックとを３つの端子で接続し、電子機器または充電器に対して二次電池ＢＴの残電圧、残電流および温度を通信（伝送）する電池パックもある（例えば、特許文献１参照。）。
【０００６】
【特許文献１】
特開２００１−３１４０４２号公報
【０００７】
図１６に示すように、電池パック１２１と電子機器１２２とは３つの端子で接続される。電池パック１２１は、二次電池１２３、電池パック１２１を識別するための信号を生成するＩＤ（Ｉｄｅｎｔｉｆｉｃａｔｉｏｎ）回路１２４、電池パック１２１および／または二次電池１２３の温度を検出する温度検出回路１２５、温度検出回路１２５からの温度とＩＤ回路１２４からの信号とを電子機器へ信号として送信する信号発生回路１２６から構成される。
【０００８】
また、電子機器１２２は、電池パック１２１から送信された信号を受信する信号回路１２７、信号回路１２７からの信号に基づいて電子機器１２２を制御する制御回路１２８から構成される。このように、温度検出端子とＩＤ信号端子とを同一に用いるため、温度信号およびＩＤ信号を共に信号化して通信するものもある。
【０００９】
【発明が解決しようとする課題】
しかしながら、温度信号およびＩＤ信号を共に信号化すると、電池パックの回路構成が複雑、且つ高価になるという問題があった。
【００１０】
また、温度検出回路は、電池パックの温度を検出する回路、電池パックで使用されている素子、例えばＦＥＴ（Ｆｅｉｌｄ  Ｅｆｆｅｃｔ  Ｔｒａｎｓｉｓｔｏｒ）の温度を検出する回路、二次電池の温度を検出する回路など様々なものがあるため電池パックを小さくすることができないという問題があった。
【００１１】
従って、この発明の目的は、電池パックの回路構成を容易なものとし、且つ安価な電池パックを提供することができ、さらに電池パックを小型化することができる電池パックおよび電池パックの保護方法を提供することにある。
【００１２】
【課題を解決するための手段】
上述した課題を達成するために請求項１の発明は、二次電池を用いた電池パックにおいて、電圧または電流を変調してＩＤ信号を生成するＩＤ信号生成手段と、温度を検出し、検出された温度に応じたセンサ信号を出力する温度センサと、二次電池を充電または放電する第１および第２の端子と、生成されたＩＤ信号および出力されたセンサ信号が通過する第３の端子とを有し、第１、第２、および第３の端子を介して電子機器と接続するようになし、、  第３の端子を通過したＩＤ信号から電子機器に用いられる正規のものであるか否かを判断し、第３の端子を通過したセンサ信号から温度を検出することを可能としたことを特徴とする電池パックである。
【００１３】
請求項３の発明は、二次電池を用いた電池パックにおいて、ＩＤ信号を受信するＩＤ信号受信手段と、温度を検出し、検出された温度に応じたセンサ信号を出力する温度センサと、二次電池を充電または放電する第１および第２の端子と、受信するＩＤ信号および出力されたセンサ信号が通過する第３の端子とを有し、第１、第２、および第３の端子を介して電子機器と接続するようになし、第３の端子を通過したＩＤ信号から正規に用いられる電子機器であるか否かを判断し、電子機器では、第３の端子を通過したセンサ信号から温度を検出することを可能としたことを特徴とする電池パックである。
【００１４】
請求項５の発明は、二次電池を用いた電池パックにおいて、電圧または電流を変調してＩＤ信号を生成するＩＤ信号生成手段と、温度を検出し、検出された温度に応じたセンサ信号を出力する温度センサと、二次電池を充電または放電する第１および第２の端子と、少なくとも生成されたＩＤ信号および出力されたセンサ信号の何れか一方が通過する第３の端子とを有し、第１、第２、および第３の端子を介して接続される電子機器から第１の電圧が第３の端子を介して供給されると、生成されたＩＤ信号を第３の端子を介して電子機器へ送信し、第１の電圧より低い第２の電圧が第３の端子を介して供給されると、出力されたセンサ信号を第３の端子を介して電子機器へ送信するようにしたことを特徴とする電池パックである。
【００１５】
請求項９の発明は、二次電池を用いた電池パックにおいて、ＩＤ信号を受信するＩＤ信号受信手段と、温度を検出し、検出された温度に応じたセンサ信号を出力する温度センサと、二次電池を充電または放電する第１および第２の端子と、少なくとも受信するＩＤ信号および出力されたセンサ信号の何れか一方が通過する第３の端子とを有し、第１、第２、および第３の端子を介して接続される電子機器から第１の電圧が第３の端子を介して供給されると、ＩＤ信号を第３の端子を介して受信し、第１の電圧より低い第２の電圧が第３の端子を介して供給されると、出力されたセンサ信号を第３の端子を介して電子機器へ送信するようにしたことを特徴とする電池パックである。
【００１６】
請求項１３の発明は、二次電池を用いた電池パックの保護方法において、電圧または電流を変調してＩＤ信号を生成し、温度センサで温度を検出し、検出された温度に応じたセンサ信号を出力し、第１および第２の端子で二次電池を充電または放電し、生成されたＩＤ信号および出力されたセンサ信号が第３の端子を通過し、第１、第２、および第３の端子を介して電子機器と接続するようになし、第３の端子を通過したＩＤ信号から電子機器に用いられる正規のものであるか否かを判断し、第３の端子を通過したセンサ信号から温度を検出することを可能としたことを特徴とする電池パックの保護方法である。
【００１７】
請求項１５の発明は、二次電池を用いた電池パックの保護方法において、ＩＤ信号を受信し、温度センサで温度を検出し、検出された温度に応じたセンサ信号を出力し、第１および第２の端子で二次電池を充電または放電し、受信するＩＤ信号および出力されたセンサ信号が第３の端子を通過し、第１、第２、および第３の端子を介して電子機器と接続するようになし、第３の端子を通過したＩＤ信号から正規に用いられる電子機器であるか否かを判断し、電子機器では、第３の端子を通過したセンサ信号から温度を検出することを可能としたことを特徴とする電池パックの保護方法である。
【００１８】
請求項１７の発明は、二次電池を用いた電池パックの保護方法において、電圧または電流を変調してＩＤ信号を生成し、温度センサで温度を検出し、検出された温度に応じたセンサ信号を出力し、第１および第２の端子で二次電池を充電または放電し、少なくとも生成されたＩＤ信号および出力されたセンサ信号の何れか一方が第３の端子を通過し、第１、第２、および第３の端子を介して接続される電子機器から第１の電圧が第３の端子を介して供給されると、生成されたＩＤ信号を第３の端子を介して電子機器へ送信し、第１の電圧より低い第２の電圧が第３の端子を介して供給されると、出力されたセンサ信号を第３の端子を介して電子機器へ送信するようにしたことを特徴とする電池パックの保護方法である。
【００１９】
請求項２１の発明は、二次電池を用いた電池パックの保護方法において、ＩＤ信号を受信し、温度センサで温度を検出し、検出された温度に応じたセンサ信号を出力し、第１および第２の端子で二次電池を充電または放電し、少なくとも受信するＩＤ信号および出力されたセンサ信号の何れか一方が第３の端子を通過し、第１、第２、および第３の端子を介して接続される電子機器から第１の電圧が第３の端子を介して供給されると、ＩＤ信号を第３の端子を介して受信し、第１の電圧より低い第２の電圧が第３の端子を介して供給されると、出力されたセンサ信号を第３の端子を介して電子機器へ送信するようにしたことを特徴とする電池パックの保護方法である。
【００２０】
このようにすることによって、従来電池パック内に設けられていた温度検出手段を電池パックの外部に設けることができる。
【００２１】
【発明の実施の形態】
以下、この発明の実施形態について図面を参照して説明する。図１は、この発明が適用された第１の実施形態の全体的構成を示す。ＡＣ（Ａｌｔｅｒｎａｔｉｎｇ  Ｃｕｒｒｅｎｔ）アダプタ１では、商用電源が所定の直流電圧へ変換される。変換された所定の直流電圧は、電子機器２へ供給される。電子機器２へ供給された直流電圧は、まず充電回路１１へ供給される。
【００２２】
電池パック３の端子Ｔ１は、充電回路１１の出力側と接続され、その端子Ｔ２は、ＡＣアダプタ１および充電回路１１の接続点と接続され、その端子Ｔ３は、確認・温度検出回路１４と接続される。端子Ｔ１は、二次電池１６の正極端子と接続され、端子Ｔ２は、二次電池１６の負極端子と接続される。ＩＤ回路（ＩＤ生成手段）１７は、端子Ｔ２およびＴ３との間に設けられる。温度センサ（温度検出手段）１８は、端子Ｔ３と接続される。一例として、温度センサ１８はサーミスタとする。
【００２３】
確認・温度検出回路１４は、充電回路１１の出力側と、ＡＣアダプタ１および充電回路１１の接続点との間に設けられる。充電回路１１の出力側と、ＡＣアダプタ１および充電回路１１の接続点との間に、スイッチ回路１２および電子機器の負荷（以下、「セット負荷」と称する）１３が直列に設けられる。
【００２４】
まず、ＩＤ回路１７から端子Ｔ３を介して出力されるＩＤ信号が確認・温度検出回路１４へ供給される。確認・温度検出回路１４では、電池パック３が供給されたＩＤ信号から該電子機器２で用いられる正規の電池パックであるか否かを確認する。また、二次電池１６の充電が開始されると、二次電池１６の温度が上昇するので、温度センサ８では、端子Ｔ３を介してその温度に応じたセンサ信号が確認・温度検出回路１４へ供給される。
【００２５】
確認・温度検出回路１４は、温度センサ８からのセンサ信号を確認すると、充電停止制御回路１５へ信号を供給する。
【００２６】
充電停止制御回路１５では、確認・温度検出回路１４からの信号が供給されると、充電回路１１の充電動作を停止およびスイッチ回路１２をオフとするための停止信号が充電回路１１およびスイッチ回路１２へ供給される。また、充電停止制御回路１５は、ＡＣアダプタ１および充電回路１１の接続点と接続される。充電回路１１では、二次電池１６に対する充電動作が停止され、スイッチ回路１２では、セット負荷１３を保護するためにその接続がオフとされる。
【００２７】
図２のブロック図を参照して、この発明が適用された第１の実施形態の他の例について説明する。この図２では、温度センサ１８はＩＤ回路１７の両端と接続されている。温度検出回路２１およびＩＤ確認回路２２が端子Ｔ３と接続される。温度検出回路２１は、温度センサ１８から出力されるセンサ信号が供給されると、制御回路２３へ信号を供給する。ＩＤ確認回路２２は、ＩＤ回路１７から供給されるＩＤ信号から電池パック３が該電子機器２で用いられる正規の電池パックでないと確認すると、制御回路２３へ信号を供給する。制御回路２３では、温度検出回路２１からの信号またはＩＤ確認回路２２からの信号が供給されると、充電回路１１の充電動作を停止およびスイッチ回路１２をオフとするための停止信号が充電回路１１およびスイッチ回路１２へ供給される。
【００２８】
このように、第１の実施形態では、電池パック３の温度を検出するときに、電池パック３には温度センサ１８のみ設け、温度センサ１８で検出されるセンサ信号は電池パック３の外部に設けられた温度検出回路２１へ供給され、温度検出回路２１にて電池パック３の温度を検出するようにしたものである。
【００２９】
図３のブロック図を参照して、この発明が適用された第２の実施形態について説明する。検出回路３１は、二次電池１６の正極端子と接続される。この検出回路３１では、充電回路１１から端子Ｔ１を介して供給される電圧および電流が検出される。検出された電圧および電流は、制御回路３２へ供給される。
【００３０】
制御回路３２では、供給された電圧および電流が二次電池１６を充電するための所定の電圧および電流であるか否かが判断される。その判断結果により供給された電圧および電流が二次電池１６を充電するための所定の電圧および電流であると判断された場合、ＦＥＴ３３および３４をオンとするための制御信号がＦＥＴ３３および３４のゲート端子へ供給される。ＦＥＴ３３および３４には、それぞれ寄生ダイオードが設けられている。また、その判断結果により供給された電圧および電流が二次電池１６を充電するための所定の電圧および電流でないと判断された場合、ＦＥＴ３３および３４をオフとするための制御信号がＦＥＴ３３および３４のゲート端子へ供給される。
【００３１】
サーミスタ３５は、端子Ｔ２およびＴ３の間に接続される。一例として、サーミスタ３５は、温度に応じて約３ｋΩ〜約１００ｋΩの範囲で抵抗値を変化させる。ＩＤ回路１７は、端子Ｔ２およびＴ３の間に接続される。
【００３２】
電圧検出回路３６では、端子Ｔ３から供給される電圧が検出される。基準定電圧回路４２で生成される定電圧Ｖ４２（第１の電圧）が電圧検出回路３６で検出されると、ＩＤ回路１７を動作させるために、電圧検出回路３６からＩＤ回路１７へ信号が供給される。ＩＤ回路１７は、電圧検出回路３６から信号が供給されると、端子Ｔ３を介してＩＤ信号を送信する。
【００３３】
基準定電圧回路４２では、ＩＤ信号を検出するための基準となる定電圧Ｖ４２が生成される。生成された定電圧Ｖ４２は、ＩＤ確認回路４３を介して切替回路４５へ供給される。切替回路４５では、ＩＤ確認回路４３からの定電圧Ｖ４２に応じて、切替信号がスイッチ回路４１へ供給される。スイッチ回路４１では、供給された切替信号に応じて端子４１ａが接続される。そして、基準定電圧回路４２で生成された定電圧Ｖ４２がスイッチ回路４１を介して電池パック３へ供給される。
【００３４】
ＩＤ確認回路４３では、基準定電圧回路４２から定電圧Ｖ４２が供給されると、端子Ｔ３から供給されるＩＤ信号を確認する動作が開始される。その確認結果から電池パック３が該電子機器２で用いられる正規の電池パックでないと判断されると、停止回路４６へ停止信号が供給される。
【００３５】
基準定電圧回路４４では、センサ信号を検出するための基準電圧となる定電圧Ｖ４４（第２の電圧）が生成される。生成された定電圧Ｖ４４は、切替回路４５へ供給される。切替回路４５では、基準定電圧回路４４からの定電圧Ｖ４４に応じて、切替信号がスイッチ回路４１へ供給される。スイッチ回路４１では、供給された切替信号に応じて端子４１ｂが接続される。そして、基準定電圧回路４４で生成された定電圧Ｖ４４がスイッチ回路４１を介して電池パック３へ供給される。そして、電圧検出回路３６において、基準定電圧回路４４で生成された電圧Ｖ４４が検出されると、ＩＤ回路１７の動作が停止される。
【００３６】
なお、基準定電圧回路４２で生成される定電圧Ｖ４２と、基準定電圧回路４４で生成される定電圧Ｖ４４とは、
Ｖ４２  ＞  Ｖ４４
の関係となる。
【００３７】
また、基準定電圧回路４４で生成された定電圧は、温度検出回路４７へ供給される。温度検出回路４７では、基準定電圧回路４４から信号が供給されると、端子Ｔ３から供給されるセンサ信号から温度が検出される。検出された温度から所定温度を超えていると判断すると、温度検出回路４７から停止回路４６へ停止信号が供給される。
【００３８】
停止回路４６では、ＩＤ確認回路４３から停止信号または温度検出回路４７から停止信号が供給されると、充電回路１１の充電動作を停止およびスイッチ回路１２をオフとするための停止信号が充電回路１１およびスイッチ回路１２へ供給される。
【００３９】
図４のブロック図を参照して、この発明が適用された第２の実施形態の他の例について説明する。保護検出回路５１は、二次電池１６の正極端子と接続される。この保護検出回路５１では、充電回路１１から端子Ｔ１を介して供給される電圧および電流が検出される。
【００４０】
保護検出回路５１では、検出された電圧および電流が二次電池１６を充電するための所定の電圧および電流であるか否かが判断される。その判断結果により供給された電圧および電流が二次電池１６を充電するための所定の電圧および電流であると判断された場合、ＦＥＴ５２をオンとするための制御信号が保護検出回路５１からＦＥＴ５２へ供給される。また、その判断結果により供給された電圧および電流が二次電池１６を充電するための所定の電圧および電流でないと判断された場合、ＦＥＴ５２をオフとするための制御信号が保護検出回路５１からＦＥＴ５２へ供給される。
【００４１】
ＰＮＰ型のトランジスタ５３のエミッタは、端子Ｔ３と接続され、そのコレクタは、ＩＤ回路１７を介して端子Ｔ２と接続され、そのベースは、定電圧ダイオード５５のカソードと接続される。抵抗５４は、定電圧ダイオード５５のカソードと端子Ｔ３との間に設けられる。抵抗５６は、定電圧ダイオード５５のアノードと端子Ｔ２との間に設けられる。
【００４２】
抵抗６１は、スイッチ回路４１の端子４１ｂと温度検出電圧回路６２との間に設けられる。温度検出電圧回路６２は、端子Ｔ２と接続される。この温度検出電圧回路６２では、電池パック３の温度を検出するための定電圧Ｖ６２（第２の電圧）が生成される。生成された定電圧は、抵抗６１およびスイッチ回路４１を介して電池パック３へ供給される。
【００４３】
演算増幅回路６３の反転入力端子は温度検出電圧回路６２と接続され、その非反転入力端子は端子４１ｂと接続される。演算増幅回路６４の反転入力端子は端子４１ｂと接続され、その非反転入力端子は温度検出電圧回路６２と接続される。このように、演算増幅回路６３および６４の反転入力端子および非反転入力端子は抵抗６１の両端にそれぞれ逆に接続されることによって、高い温度と低い温度とが検出される。この演算増幅回路６３および６４の出力は、温度検出回路６５へ供給される。
【００４４】
また、温度検出電圧回路６５は、端子Ｔ２と接続される。この温度検出回路６５では、供給される演算増幅回路６３および６４の出力から電池パック３が所定の温度範囲の温度か否かが検出される。所定の温度範囲外であると判断されると、温度信号が温度検出電圧回路６５から制御回路７０へ供給される。
【００４５】
抵抗６６は、スイッチ回路４１の端子４１ａとＩＤ動作電圧回路６７との間に設けられる。ＩＤ動作電圧回路６７は、端子Ｔ２と接続される。このＩＤ動作電圧回路６７では、電池パック３のＩＤを検出するための定電圧Ｖ６７（第１の電圧）が生成される。生成された定電圧は、抵抗６６およびスイッチ回路４１を介して電池パック３へ供給される。
【００４６】
なお、温度検出電圧回路６２で生成される定電圧Ｖ６２（第２の電圧）と、ＩＤ動作電圧回路６７で生成される定電圧Ｖ６７（第１の電圧）とは、
Ｖ６７  ＞  Ｖ６２
の関係となる。
【００４７】
演算増幅回路６８の反転入力端子および非反転入力端子は、抵抗６６の両端に接続される。演算増幅回路６８の出力は、ＩＤ受信回路６９へ供給される。ＩＤ受信回路６９は、端子Ｔ２と接続される。このＩＤ受信回路６９では、演算増幅回路６８から供給される出力からＩＤ信号が受信される。受信したＩＤ信号から電池パック３が該電子機器２で用いられる正規の電池パックであると判断されると、ＩＤ受信回路６９から制御回路７０へＩＤ確認信号が供給される。
【００４８】
制御回路７０は、端子Ｔ２と接続される。この制御回路７０では、温度検出回路６５から供給された温度信号またはＩＤ受信回路６９から供給されたＩＤ確認信号に基づいて、スイッチ回路４１を切り替えるための制御信号がスイッチ制御回路７１へ供給される。スイッチ制御回路７１では、制御回路７０から供給された制御信号に基づいて、スイッチ回路４１へ切替信号が供給される。スイッチ回路４１では、供給された切替信号に応じて接続する端子が端子４１ａまたは４１ｂに切り替えられる。
【００４９】
図５のフローチャートを参照して、この発明が適用された第２の実施形態について説明する。ステップＳ１では、スイッチ回路４１において端子４１ａが接続される。ステップＳ２では、ＩＤ動作電圧回路６７で生成された電圧Ｖ６７が端子４１ａを介して電池パック３へ供給される。ステップＳ３では、定電圧ダイオード５５がオンとされる。ステップＳ４では、トランジスタ５３がオンとされる。
【００５０】
ステップＳ５では、ＩＤ回路１７の動作が開始される。ステップＳ６では、電流を変調させてＩＤ信号が生成され、該ＩＤ信号が端子Ｔ３およびスイッチ回路４１を介して伝送される。ステップＳ７では、演算増幅回路６８およびＩＤ受信回路６９においてＩＤ信号が受信される。
【００５１】
ステップＳ８では、受信されたＩＤ信号から電池パック３が該電子機器２で用いられる正規の電池パックであるか否かが判断される。電池パック３は、該電子機器２で用いられる正規の電池パックであると判断されると、ステップＳ９へ制御が移り、該電子機器２で用いられる正規の電池パックではないと判断されると、ステップＳ７へ制御が戻る。ステップＳ９では、二次電池１６の充電動作または放電動作が行われる。
【００５２】
ステップＳ１０では、スイッチ回路４１にて端子４１ｂが接続され、温度検出電圧回路６２からの定電圧Ｖ６２がスイッチ回路４１を介して電池パック３に供給される。ステップＳ１１では、定電圧ダイオード５５がオフとされる。ステップＳ１２では、トランジスタ５３がオフとされる。ステップＳ１３では、ＩＤ回路１７の動作が停止される。ステップＳ１４では、演算増幅回路６３および６４、並びに温度検出回路６５において温度が検出される。
【００５３】
このように、ＩＤ信号を検出するときには、センサ信号の影響を受けるが、温度を検出するときには、ＩＤ回路１７の動作を停止しているので、センサ信号に影響を与えることはない。
【００５４】
図６のブロック図を参照して、この発明が適用された第３の実施形態について説明する。ＰＮＰ型のトランジスタ８１のエミッタは端子Ｔ３と接続され、そのコレクタはサーミスタ３５を介して端子Ｔ２と接続され、そのベースは抵抗８２を介してＮＰＮ型のトランジスタ８３のコレクタと接続される。トランジスタ８３のエミッタは端子Ｔ２と接続され、そのベースは抵抗８４を介して端子Ｔ３と接続される。ＮＰＮ型のトランジスタ８５のコレクタはトランジスタ８３のベースと接続され、そのエミッタは端子Ｔ２と接続され、そのベースは定電圧ダイオード５５のアノードと接続される。
【００５５】
図７のフローチャートを参照して、この発明が適用された第３の実施形態について説明する。ステップＳ２１では、スイッチ回路４１において端子４１ａが接続される。ステップＳ２２では、ＩＤ動作電圧回路６７で生成された電圧Ｖ６７が端子４１ａを介して電池パック３へ供給される。ステップＳ２３では、定電圧ダイオード５５がオンとされる。ステップＳ２４では、トランジスタ５３がオンとされる。ステップＳ２５では、ＩＤ回路１７の動作が開始される。
【００５６】
ステップＳ２６では、トランジスタ８５がオンとされる。ステップＳ２７では、トランジスタ８３がオフとされる。ステップＳ２８では、トランジスタ８１がオフとされる。
【００５７】
ステップＳ２９では、動作が開始されたＩＤ回路１７にて電流を変調させてＩＤ信号が生成され、該ＩＤ信号が端子Ｔ３およびスイッチ回路４１を介して伝送される。ステップＳ３０では、演算増幅回路６８およびＩＤ受信回路６９においてＩＤ信号が受信される。
【００５８】
ステップＳ３１では、受信されたＩＤ信号から電池パック３が該電子機器２で用いられる正規の電池パックであるか否かが判断される。電池パック３は、該電子機器２で用いられる正規の電池パックであると判断されると、ステップＳ３２へ制御が移り、該電子機器２で用いられる正規の電池パックではないと判断されると、ステップＳ３０へ制御が戻る。ステップＳ３２では、二次電池１６の充電動作または放電動作が行われる。
【００５９】
ステップＳ３３では、スイッチ回路４１にて端子４１ｂが接続され、温度検出電圧回路６２からの定電圧Ｖ６２がスイッチ回路４１を介して電池パック３に供給される。ステップＳ３４では、定電圧ダイオード５５がオフとされる。ステップＳ３５では、トランジスタ５３がオフとされる。ステップＳ３６では、ＩＤ回路１７の動作が停止される。
【００６０】
ステップＳ３７では、トランジスタ８５がオフとされる。ステップＳ３８では、トランジスタ８３がオンとされる。ステップＳ３９では、トランジスタ８１がオンとされる。ステップＳ４０では、演算増幅回路６３および６４、並びに温度検出回路６５において温度が検出される。
【００６１】
このように、第３の実施形態では、電池パック３からＩＤ信号を伝送しているときには、センサ信号の伝送を停止させ、電池パック３からセンサ信号を伝送しているときには、ＩＤ信号の伝送を停止させるようにしたものである。そのため、互いに影響することなくＩＤ信号およびセンサ信号を伝送することができる。
【００６２】
図８のブロック図を参照して、この発明が適用された第４の実施形態について説明する。二次電池１６の両端と接続されている検出回路９１では、二次電池１６の端子電圧が検出される。検出された端子電圧は、検出回路９１から制御回路９２へ供給される。制御回路９２では、供給された端子電圧が所定値を超える場合、スイッチ回路９３をオフとするための制御信号がスイッチ回路９３へ供給される。また、供給された端子電圧が所定範囲内となる場合、スイッチ回路９３をオンとするための制御信号がスイッチ回路９３へ供給される。
【００６３】
スイッチ回路９３は、二次電池１６を保護するために、二次電池の１６の負極端子と端子Ｔ２との間に設けられる。ＩＤ受信回路９４は、端子Ｔ２およびＴ３との間に、温度センサ１８と並列になるように設けられる。ＩＤ受信回路９４では、端子Ｔ３を介して供給されるＩＤ信号が受信されると、該ＩＤ信号が制御回路９２へ供給される。
【００６４】
制御回路９２では、ＩＤ受信回路９４から供給されるＩＤ信号から電子機器２が該電池パックを用いる正規の電子機器ではないと判断されると、スイッチ回路９３をオフとするための信号がスイッチ回路９３へ供給される。
【００６５】
温度検出回路９５およびＩＤ発信回路９６は、端子Ｔ２およびＴ３との間に並列に設けられる。温度検出回路９５では、温度センサ１８から伝送されるセンサ信号から電池パック３の温度が検出される。検出された温度に応じた温度信号が温度検出回路９５から制御回路９８へ供給される。
【００６６】
ＩＤ発信回路９６では、電池パック３に対してＩＤ信号が伝送される。また、ＩＤ発信回路９６では、電池パック３に対してＩＤ信号を伝送すると、スイッチ動作確認回路９７にも信号が供給される。スイッチ動作確認回路９７は、端子Ｔ１およびＴ２と接続される。このスイッチ動作確認回路９７では、ＩＤ発信回路９６からの信号に応じて電池パック３のスイッチ回路９３のオン／オフの状態が検出される。その検出結果は、制御回路９８へ供給される。
【００６７】
制御回路９８では、温度検出回路９５からの温度信号および／またはスイッチ動作確認回路９７からの検出結果から電池パック３が該電子機器２で用いられる正規の電池パックではないと判断されると、充電回路１１の充電動作を停止およびスイッチ回路１２をオフとするための停止信号が充電回路１１およびスイッチ回路１２へ供給される。
【００６８】
このように、ＩＤ受信回路９４で受信したＩＤ信号から電子機器２が該電池パックを用いる正規の電子機器であるか否かが判断され、電子機器２は、該電池パックを用いる正規の電子機器ではないと判断されると、スイッチ回路９３をオンとし、充電動作または放電動作が行われる。また、電子機器２は、該電池パックを用いる正規の電子機器ではないと判断されると、スイッチ回路９３をオフとし、二次電池１６が保護される。
【００６９】
図９のブロック図を参照して、この発明が適用された第４の実施形態の他の例について説明する。保護検出回路５１で検出される電圧および電流は、制御回路１０１へ供給される。制御回路１０１では、検出された電圧および電流が二次電池１６を充電するための所定の電圧および電流であるか否かが判断される。その判断結果により供給された電圧および電流が二次電池１６を充電するための所定の電圧および電流であると判断された場合、ＦＥＴ５２をオンとするための制御信号が保護検出回路５１からＦＥＴ５２へ供給される。また、その判断結果により供給された電圧および電流が二次電池１６を充電するための所定の電圧および電流でないと判断された場合、ＦＥＴ５２をオフとするための制御信号が制御回路１０１からＦＥＴ５２へ供給される。
【００７０】
ＩＤ受信回路９４では、ＩＤ発信回路１０４から伝送されるＩＤ信号を受信すると、スッイチ制御回路１０２へ受信したＩＤ信号が供給される。スイッチ制御回路１０２では、供給されたＩＤ信号から電子機器２が該電池パックを用いる正規の電子機器であるか否かが判断される。ＩＤ受信回路９４からのＩＤ信号から電子機器２は、該電池パックを用いる正規の電子機器であると判断されると、ＦＥＴ５２をオンとするための制御信号がスイッチ制御回路１０２からＦＥＴ５２へ供給される。また、ＩＤ受信回路９４からのＩＤ信号から電子機器２は、該電池パックを用いる正規の電子機器ではないと判断されると、ＦＥＴ５２をオフとするための制御信号がスイッチ制御回路１０２からＦＥＴ５２へ供給される。
【００７１】
ＩＤ発信回路１０４は、端子Ｔ２と接続される。このＩＤ発信回路１０４から該電子機器２を識別するためのＩＤ信号が生成され、ＩＤ動作電圧回路６７、スイッチ回路４１、および端子Ｔ３を介して電池パック３へ供給される。また、ＩＤ発信回路１０４から確認回路１０５へも信号が供給される。
【００７２】
確認回路１０５は、端子Ｔ１およびＴ２と接続される。この確認回路１０５では、ＩＤ発信回路１０４からの信号に応じて電池パック３のＦＥＴ５２のオン／オフの状態が検出される。その検出結果は、制御回路７０へ供給される。制御回路７０では、温度検出回路６５からの温度信号および／または確認回路１０５からの検出結果に基づいて、スイッチ制御回路７１および各回路１０６へ制御信号が供給される。
【００７３】
図１０のフローチャートを参照して、この発明が適用された第４の実施形態について説明する。ステップＳ４１では、スイッチ回路４１において端子４１ａが接続され、ＩＤ動作電圧回路６７で生成された電圧Ｖ６７が端子４１ａを介して電池パック３へ供給される。ステップＳ４２では、定電圧ダイオード５５がオンとされる。ステップＳ４３では、トランジスタ５３がオンとされる。
【００７４】
ステップＳ４４では、ＩＤ発信回路１０４の動作が開始され、ＩＤ信号が電池パック３へ伝送される。ステップＳ４５では、ＩＤ受信回路９４においてＩＤ信号が受信される。
【００７５】
ステップＳ４６では、受信されたＩＤ信号から電子機器２が該電池パック３を用いる正規の電子機器であるか否かが判断される。電子機器２は、該電池パック３を用いる正規の電子機器であると判断されると、ステップＳ４７へ制御が移り、該電池パック３を用いる正規の電子機器ではないと判断されると、ステップＳ５０へ制御が移る。
【００７６】
ステップＳ４７では、ＦＥＴ５２がオンとされる。ステップＳ４８では、確認回路１０５にてＦＥＴ５２がオンしたことが確認される。ステップＳ４９では、二次電池１６の充電動作または放電動作が行われる。ステップＳ５０では、ＦＥＴ５２がオフとされる。
【００７７】
このように、第４の実施形態は、電子機器２から電池パック３に対してＩＤ信号を送信し、受信したＩＤ信号から電子機器２が該電池パックを用いる正規の電子機器か否かを判断し、電子機器２が該電池パックを用いる正規の電子機器であると判断すると、スイッチ回路９３またはＦＥＴ５２をオンするようにしたものである。
【００７８】
また、ＩＤ信号を受信して、電子機器２が該電池パックを用いる正規の電子機器であると判断すると、スイッチ回路９３またはＦＥＴ５２を、図１１に示すようにオン／オフさせるようにしても良い。
【００７９】
なお、図１１中の電圧ｖ１は、温度検出を行う電圧であり、電圧ｖ２は、定電圧ダイオード５５がオンとなる電圧である。このように、電圧でＩＤ信号を生成する場合、定電圧ダイオード５５がオンとなる電圧、いわゆるツェナー電圧以上の電圧を変調させてＩＤ信号を生成する。
【００８０】
図１２のブロック図を参照して、この発明が適用された第５の実施形態について説明する。ＩＤ受信ＩＤ通信回路１０３は、トランジスタ５３のコレクタと端子Ｔ２との間に設けられる。このＩＤ受信ＩＤ通信回路１０３は、ＩＤ発信回路１０４からのＩＤ信号を受信すると、該電池パック３のＩＤ信号を伝送する。また、ＩＤ受信ＩＤ通信回路１０３は、ＩＤ発信回路１０４からのＩＤ信号を受信すると、受信したＩＤ信号をスイッチ制御回路１０２へ供給する。
【００８１】
スイッチ制御回路１０２では、供給されたＩＤ信号から電子機器２が該電池パックを用いる正規の電子機器であるか否かが判断される。ＩＤ受信ＩＤ通信回路１０３からのＩＤ信号から電子機器２は、該電池パックを用いる正規の電子機器であると判断されると、ＦＥＴ５２をオンとするための制御信号がスイッチ制御回路１０２からＦＥＴ５２へ供給される。また、ＩＤ受信ＩＤ通信回路１０３からのＩＤ信号から電子機器２は、該電池パックを用いる正規の電子機器ではないと判断されると、ＦＥＴ５２をオフとするための制御信号がスイッチ制御回路１０２からＦＥＴ５２へ供給される。
【００８２】
また、ＩＤ受信ＩＤ通信回路１０３から伝送されるＩＤ信号は、演算増幅回路６８およびＩＤ受信回路６９で受信される。ＩＤ受信回路６９では、受信したＩＤ信号から電池パック３が該電子機器２で用いられる正規の電池パックであるか否かが判断され、受信したＩＤ信号から電池パック３が該電子機器２で用いられる正規の電池パックであると判断されると、ＩＤ受信回路６９から制御回路７０へＩＤ信号が供給される。
【００８３】
制御回路７０では、温度検出回路６５からの温度信号および／または確認回路１０５からの検出結果に基づいて、スイッチ制御回路７１および各回路１０６へ制御信号が供給される。
【００８４】
図１３のブロック図を参照して、この発明が適用された第５の実施形態において電池パック３からＩＤ信号を伝送する一例を説明する。二次電池１６の負極端子と端子Ｔ２との間に、ＦＥＴ１１２および１１３が直列に設けられる。これらＦＥＴ１１２および１１３には、それぞれ寄生ダイオードが設けられている。
【００８５】
制御回路１０１では、保護検出回路５１の検出結果によって、端子Ｔ１から供給される電圧および電流が二次電池１６を充電するための所定の電圧および電流であると判断された場合、ＦＥＴ１１２および１１３をオンとするための制御信号がＦＥＴ１１２および１１３のゲート端子へ供給される。
また、その検出結果によって、端子Ｔ１から供給される電圧および電流が二次電池１６を充電するための所定の電圧および電流でないと判断された場合、ＦＥＴ１１２および１１３をオフとするための制御信号がＦＥＴ１１２および１１３のゲート端子へ供給される。
【００８６】
ＮＰＮ型のトランジスタ１１１のコレクタは、ＦＥＴ１１３のゲート端子と接続され、そのエミッタは、端子Ｔ２と接続され、そのベースは、制御回路１０２と接続される。制御回路１０２は、端子Ｔ２と接続される。この制御回路１０２は、トランジスタ１１１を制御する。
【００８７】
トランジスタ１１１がオフとなると、ＦＥＴ１１３はオンとなり、図１４中の電圧ｖ１２が出力される。トランジスタ１１１がオンとなると、ＦＥＴ１１３はオフとなるため、ＦＥＴ１１３の寄生ダイオード分の電圧降下があるので、図１４中の電圧ｖ１１が出力される。このように、トランジスタ１１１をオン／オフすることによって、図１４に示すＩＤ信号が生成される。
【００８８】
このように、電池パック３から電子機器２へ電圧を変調させたＩＤ信号を供給することができる。
【００８９】
図１５のフローチャートを参照して、この発明が適用された第５の実施形態について説明する。ステップＳ５１では、スイッチ回路４１において端子４１ａが接続され、ＩＤ動作電圧回路６７で生成された電圧Ｖ６７が端子４１ａを介して電池パック３へ供給される。ステップＳ５２では、定電圧ダイオード５５がオンとされる。ステップＳ５３では、トランジスタ５３がオンとされる。
【００９０】
ステップＳ５４では、ＩＤ発信回路１０４の動作が開始され、ＩＤ信号が電池パック３へ伝送される。ステップＳ５５では、ＩＤ受信ＩＤ通信回路１０３においてＩＤ信号が受信される。
【００９１】
ステップＳ５６では、受信されたＩＤ信号から電子機器２が該電池パック３を用いる正規の電子機器であるか否かが判断される。電子機器２は、該電池パック３を用いる正規の電子機器であると判断されると、ステップＳ５７へ制御が移り、該電池パック３を用いる正規の電子機器ではないと判断されると、ステップＳ６２へ制御が移る。
【００９２】
ステップＳ５７では、ＦＥＴ５２がオン／オフ制御され、電圧が変調されたＩＤ信号が電子機器２へ送信される。ステップＳ５８では、ＩＤ受信回路６９にてＩＤ信号が受信される。
【００９３】
ステップＳ５９では、ＦＥＴ５２がオンとされる。ステップＳ６０では、確認回路１０５にてＦＥＴ５２がオンしたことが確認される。ステップＳ６１では、二次電池１６の充電動作または放電動作が行われる。ステップＳ６２では、ＦＥＴ５２がオフとされる。
【００９４】
この図１５のフローチャート中ステップＳ５７では、電圧が変調されたＩＤ信号が電池パック３から電子機器２へ送信されているが、電流が変調されたＩＤ信号が電池パック３から電子機器２へ送信されるようにしても良い。
【００９５】
この発明は、上述したこの発明の一実施形態等に限定されるものではなく、この発明の要旨を逸脱しない範囲内で様々な変形や応用が可能である。
【００９６】
【発明の効果】
この発明に依れば、電池パック内に設けられていた温度検出回路を電池パックの外部に設けることができるので、電池パックの回路構成を容易なものとすることができる。さらに、より安価な電池パックを提供することができる。そして、電池パックを小型化することができる。
【図面の簡単な説明】
【図１】この発明が適用された第１の実施形態について説明するためのブロック図である。
【図２】この発明が適用された第１の実施形態の他の例について説明するためのブロック図である。
【図３】この発明が適用された第２の実施形態について説明するためのブロック図である。
【図４】この発明が適用された第２の実施形態の他の例について説明するためのブロック図である。
【図５】この発明が適用された第２の実施形態について説明するためのフローチャートである。
【図６】この発明が適用された第３の実施形態について説明するためのブロック図である。
【図７】この発明が適用された第３の実施形態について説明するためのフローチャートである。
【図８】この発明が適用された第４の実施形態について説明するためのブロック図である。
【図９】この発明が適用された第４の実施形態の他の例について説明するためのブロック図である。
【図１０】この発明が適用された第４の実施形態について説明するためのフローチャートである。
【図１１】この発明に適用されたＩＤ信号について説明するための特性図である。
【図１２】この発明が適用された第５の実施形態について説明するためのブロック図である。
【図１３】この発明が適用された第５の実施形態の電池パックについて説明するためのブロック図である。
【図１４】この発明に適用されたＩＤ信号について説明するための特性図である。
【図１５】この発明が適用された第５の実施形態について説明するためのフローチャートである。
【図１６】３つの端子で接続された電池パックと電子機器との間で信号を送信する従来例について説明するためのブロック図である。
【符号の説明】
１・・・ＡＣアダプタ、２・・・電子機器、３・・・電池パック、１１・・・充電回路、１２・・・スイッチ回路、１３・・・セット負荷、１４・・・確認・温度検出回路、１５・・・充電停止制御回路、１６・・・二次電池、１７・・・ＩＤ回路、１８・・・温度センサ
【図１】
2004349104.tif 000003
【図２】
2004349104.tif 000004
【図３】
2004349104.tif 000005
【図４】
2004349104.tif 000006
【図５】
2004349104.tif 000007
【図６】
2004349104.tif 000008
【図７】
2004349104.tif 000009
【図８】
2004349104.tif 000010
【図９】
2004349104.tif 000011
【図１０】
2004349104.tif 000012
【図１１】
2004349104.tif 000013
【図１２】
2004349104.tif 000014
【図１３】
2004349104.tif 000015
【図１４】
2004349104.tif 000016
【図１５】
2004349104.tif 000017
【図１６】
2004349104.tif 000018